Podtech/llm-jp-corpus-v4-ja_patent huggingface dataset:
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
眼内レンズ（ＩＯＬ）を支持するレンズ支持構造物において、前記レンズ支持構造物は、人間の眼の水晶体に固定的に移植され、前記ＩＯＬを複数の位置のうちの１つに保持するように構成されるとともに動作可能であり、前記レンズ支持構造物は、リモートエネルギーソースにより遠隔作動し、前記ＩＯＬを、前記ＩＯＬの光軸に沿って、または前記ＩＯＬの光軸を中心にして、軸方向および角度方向のうち少なくとも１つに独立して制御可能にそれぞれ変位させるように構成されるとともに動作可能であり、それにより前記ＩＯＬが複数の位置間を動くことが可能になる再配置アセンブリを具えることを特徴とするレンズ支持構造物。
【請求項２】
請求項１に記載のレンズ支持構造物において、前記再配置アセンブリは、前記複数の位置のうち少なくとも一部の間で前記ＩＯＬの漸進的な移行をもたらすように構成されることを特徴とするレンズ支持構造物。
【請求項３】
請求項１または２に記載のレンズ支持構造物において、前記再配置アセンブリは、少なくとも１つのアクチュエータおよびそれぞれの歯列を具え、前記アクチュエータおよび歯列のうち一方が前記ＩＯＬと固定的な空間関係を有し、前記アクチュエータは、前記歯列と選択的に係合する、および係合を外すように構成されるとともに動作可能であり、係合したときに、前記アクチュエータと前記歯列との間で相対的な漸進移動が生じ、前記複数の位置のうちの２つの隣接する位置間の前記ＩＯＬの前記制御可能な変位をもたらすことを特徴とする、レンズ支持構造物。
【請求項４】
請求項３に記載のレンズ支持構造物において、前記アクチュエータおよび／またはそれぞれの歯列は、前記相対的な漸進移動が、前記ＩＯＬの光軸に沿って、および前記ＩＯＬの光軸を中心にして、前記複数の方向のうち少なくとも１つのそれぞれにおいて、一方向のみに生じるように、ラチェット機構を規定することを特徴とする、レンズ支持構造物。
【請求項５】
請求項３または４に記載のレンズ支持構造物において、前記アクチュエータは、第１および第２の空間構成間を可逆的にシフト可能であり、それによって前記歯列との係合および解放をそれぞれもたらすことを特徴とする、レンズ支持構造物。
【請求項６】
請求項３乃至５のいずれか一項に記載のレンズ支持構造物において、前記アクチュエータは、前記再配置アセンブリが前記リモートエネルギーソースにより遠隔作動したときに、前記アクチュエータの少なくとも前記第１の空間構成をもたらすように構成されるとともに動作可能な形状記憶材料で形成された変更可能要素を具えることを特徴とする、レンズ支持構造物。
【請求項７】
請求項６に記載のレンズ支持構造物において、前記アクチュエータは、前記変更可能要素に結合されるとともに、前記再配置アセンブリが前記リモートエネルギーソースにより作動しない場合、前記アクチュエータの少なくとも前記第２の空間構成をもたらすように構成されるとともに動作可能であるバネ状要素を具えることを特徴とする、レンズ支持構造物。
【請求項８】
請求項６または７に記載のレンズ支持構造物において、前記変更可能要素はニチノールを含むことを特徴とする、レンズ支持構造物。
【請求項９】
請求項１乃至８のいずれか一項に記載のレンズ支持構造物において、前記リモートエネルギーソースは、前記再配置アセンブリの少なくとも一部に熱を供給するように構成されるとともに動作可能であることを特徴とする、レンズ支持構造物。
【請求項１０】
請求項１乃至９のいずれか一項に記載のレンズ支持構造物において、前記リモートエネルギーソースは放射素子またはレーザ源のうちの少なくとも一方を具えることを特徴とする、レンズ支持構造物。
【請求項１１】
請求項１乃至１０のいずれか一項に記載のレンズ支持構造物において、前記リモートエネルギーソースが電磁放射送信機を具え、前記再配置アセンブリは電磁放射受信機を具えることを特徴とする、レンズ支持構造物。
【請求項１２】
請求項３に記載のレンズ支持構造物において、前記再配置アセンブリは少なくとも一対の前記アクチュエータを具え、それぞれのアクチュエータは、前記ＩＯＬの光軸周りの互いに反対の方向のうちの一方、または前記ＩＯＬの光軸に沿った互いに反対の方向のうちの一方に、前記ＩＯＬを制御可能に変位させるように構成されるとともに動作可能であることを特徴とする、レンズ支持構造物。
【請求項１３】
請求項１２に記載のレンズ支持構造物において、
ａ）前記再配置アセンブリは一対の前記歯列を具え、それぞれの歯列は、前記一対のアクチュエータの１つと相互作用し、それによって、前記ＩＯＬの光軸周りの互いに反対の方向に前記ＩＯＬを変位させることが可能になるか、または、
ｂ）前記再配置アセンブリは前記一対のアクチュエータと相互作用する１つの歯列を具え、それによって、前記ＩＯＬの光軸に沿った互いに反対の方向に前記ＩＯＬを変位させることが可能になることを特徴とする、レンズ支持構造物。
【請求項１４】
請求項１乃至１３のいずれか一項に記載のレンズ支持構造物において、前記再配置アセンブリのユーザ検査および作動を可能にしながら、前記再配置アセンブリを密閉し、前記再配置アセンブリへの組織侵入を防ぐように構成されるとともに動作可能な繊維プロテクタを更に具えることを特徴とする、レンズ支持構造物。
【請求項１５】
眼内レンズ（ＩＯＬ）の位置を制御するレンズ制御システムであって、請求項１乃至１４のいずれか一項に記載のレンズ支持構造物と、前記レンズ支持構造物の再配置アセンブリを遠隔作動させるように構成されるとともに動作可能なリモートエネルギーソースとを具え、前記リモートエネルギーソースが、熱発生器、レーザビーム発生器、および電磁放射送受信機のうち少なくとも１つを具えることを特徴とする、レンズ制御システム。
【請求項１６】
請求項１乃至１４のいずれか一項に記載のレンズ支持構造物と、前記レンズ支持構造物に一体的に装着された眼内レンズ（ＩＯＬ）とを具えることを特徴とする、眼内レンズ（ＩＯＬ）システム。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
患者の心臓（２６）にセンサ（１８、６１０、７１０）を固定するための装置であって、
単一の主リード（１４、６６０）を有する心臓アンカーリードと、
前記主リード（１４、６６０）に結合され、分岐点（１８）から延びる第１のアンカー（１４、６２０、７２０）と、
前記主リード（１４、６６０）に結合され、前記分岐点（１８）から延びる第２のアンカー（１４、６３０、７３０）と、
前記主リード（１４、６６０）と、前記第１のアンカー（１４、６２０、７２０）及び前記第２のアンカー（１４，６３０、７３０）の一方または両方と、の間の点で、前記装置に固定された、前記センサ（１８，６１０，７１０）と、
前記センサ（１８，６１０，７１０）は、前記心臓（２６）の動きを検出するためのモーションセンサである、装置。
【請求項２】
前記センサ（１８、６１０、７１０）は、前記心臓（２６）の運動を検出するように構成される加速度計または前記心臓（２６）の角速度を測定するように構成されるジャイロスコープのうちの少なくとも１つである、請求項１に記載の装置。
【請求項３】
前記装置は、少なくとも１つのペースメーカー電極（２０）を備え、
前記第１のアンカー（１４、６２０、７２０）及び前記第２のアンカー（１４、６３０、７３０）の一方または両方は、前記ペースメーカー電極（２０）によって前記分岐点（１８）に結合されている、請求項１または２に記載の装置。
【請求項４】
前記センサ（１８、６１０、７１０）は、前記分岐点（１８）に位置しており、センサ本体（１８、６１０、７１０）に収容されている、請求項１〜３のいずれか１項に記載の装置。
【請求項５】
前記主リード（１４、６６０）、前記第１のアンカー（１４、６２０、７２０）、及び、前記第２のアンカー（１４、６３０、７３０）は、前記センサ本体（１８、６１０、７１０）に結合されている、請求項４に記載の装置。
【請求項６】
前記第１のアンカー（１４、６２０、７２０）に結合された心臓針（１６）と、
前記第２のアンカー（１４、６３０、７３０）に結合された心臓針（１６）と、を備え、
これらの心臓針（１６）は、これらのアンカー（１４、６２０、６３０、７２０、７３０）を前記心臓（２６）の組織に移植するために使用されるように構成される、請求項１〜５のいずれか１項に記載の装置。
【請求項７】
前記主リード（１４、６６０）は、前記分岐点（１８）から前記装置の近位端まで延び、前記主リード（１４、６６０）は、電力接続及びデータ接続のような前記センサ(１８、６１０、７１０)に対する電気的接続を含む、請求項１〜６のいずれか１項に記載の装置。
【請求項８】
前記主リード（１４、６６０）が６方電気的接続を提供する、請求項７に記載の装置。
【請求項９】
前記主リード（１４、６６０）が、前記患者の胸壁を穿刺するように構成された胸部針（２２）に結合される、請求項１〜８のいずれか１項に記載の装置。
【請求項１０】
前記主リード（１４、６６０）は、アダプタ（３６）との電気的接続を形成するためのコネクタ（３２、３４）で終端する、請求項１〜９のいずれか１項に記載の装置。
【請求項１１】
前記コネクタ（３２、３４）は、前記アダプタ（３６）の対応するソケット部分またはプラグ部分と結合するためのプラグ部分またはソケット部分を備え、
前記コネクタ（３２、３４）と前記アダプタ（３６）との間の前記電気接続は、前記主リード（１４、６６０）の接続数に適合する電気接続を提供する、請求項１０に記載の装置。
【請求項１２】
前記主リード(１４、６６０)は、前記胸壁を穿刺するように構成された胸部針（２２）に結合され、
前記胸部針（２２）は、基部および取り外し可能な先端（２８）を有し、
前記基部は、前記コネクタ（３２、３４）を含む、請求項１０または１１に記載の装置。
【請求項１３】
前記コネクタ（３２、３４）は、前記胸部針（２２）の基部の周囲に導電リングとして形成され、
前記コネクタ（３２、３４）は、前記導電リングとの整列および前記導電リングへの電気的接続のための一連の導電性端子（３８）を含むアダプタ（３６）に結合されるように構成される、請求項１２に記載の装置。
【請求項１４】
心臓監視システムであって、
請求項１〜１３のいずれか１項に記載の心臓アンカーリード（１４、６６０）及びセンサ(１８、６１０、７１０)を有する装置と、
前記センサ(１８、６１０、７１０)からデータを受信するためのデータ処理装置と、を備える、心臓監視システム。
【請求項１５】
前記心臓アンカーリード(１４、６６０)は、少なくとも一つのペースメーカー電極（２０）を含み、
前記データ処理装置は、前記ペースメーカー電極（２０）に対するペーシング信号を制御する機能を有し、
前記データ処理装置は、心臓の運動データにアクセスし、オプションとしてペーシングデータにもアクセスし、このデータに関する情報をオペレーターに提供するように構成されている、および/または、
前記データ処理装置は、心臓の機能に関するデータを提供する、または、患者の活動から生じる動きおよび/または心臓補助装置のような他の装置によって誘発される動きを含むモーションセンサデータの特徴、を識別する、請求項１４に記載の心臓監視システム。
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
対象内に含まれた一つ以上の構造を撮像する撮像装置であって、前記撮像装置は、
磁性材料の一つ以上のアレイであって、材料の前記アレイの少なくともいくつかは、前記一つ以上のアレイ内の他の材料と向かい合う磁場を生成する、磁性材料の一つ以上のアレイと、
前記磁性材料によって提供された、撮像の前記対象への介入を可能とするアクセス開口と、を備え、
磁場は、前記対象を撮像する前記撮像装置の片側に提供される、撮像装置。
【請求項２】
前記撮像装置は、一つ以上の構造を撮像する片面デバイスである、請求項１に記載の撮像装置。
【請求項３】
前記撮像装置は、前記対象の骨盤領域を撮像するように使用される、請求項１に記載の撮像装置。
【請求項４】
前記対象は、生きている動物または人間である、請求項１に記載の撮像装置。
【請求項５】
前記撮像装置は、磁気共鳴画像システムに含まれ、前記磁気共鳴画像システムは、片面である、請求項１に記載の撮像装置。
【請求項６】
前記撮像装置は、ＭＲＩシステムに含まれ、前記ＭＲＩシステムは、電子式永久磁石を含む、請求項１に記載の撮像装置。
【請求項７】
前記撮像装置の前記片側での前記磁場は、前記撮像装置から離れている前記対象を撮像するように使用される、請求項１に記載の撮像装置。
【請求項８】
前記アクセス開口の軸は、前記撮像装置の面に垂直である、請求項１に記載の撮像装置。
【請求項９】
磁性材料の前記一つ以上のアレイは、少なくとも一部は硬質磁性材料である、少なくとも一つの磁化可能な部品と、少なくとも一部は軟質磁性材料である、少なくとも一つの磁化可能な部品とを含む、請求項１に記載の撮像装置。
【請求項１０】
撮像装置による、対象の少なくとも一部である一つ以上の構造の撮像の撮像方法であって、
磁性材料のアレイであって、前記アレイは前記構造または複数の構造にアクセスするためのアクセス開口を有する、磁性材料のアレイを前記一つ以上の構造の片側に配置し、
前記一つ以上の構造の前記片側に配置された磁性材料の前記アレイを使用して磁気共鳴画像を使用して前記一つ以上の構造を撮像する、ことを含む、撮像方法。
【請求項１１】
前記撮像装置は、前記一つ以上の構造を撮像する片面デバイスである、請求項１０に記載の撮像方法。
【請求項１２】
前記撮像装置は、前記対象の骨盤領域を撮像するように使用される、請求項１０に記載の撮像方法。
【請求項１３】
前記対象は、生きている動物または人間である、請求項１０に記載の撮像方法。
【請求項１４】
前記撮像装置は、磁気共鳴画像システムに含まれ、前記磁気共鳴画像システムは、片面である、請求項１０に記載の撮像方法。
【請求項１５】
前記撮像装置は、ＭＲＩシステムに含まれ、前記ＭＲＩシステムは、電子式永久磁石を含む、請求項１０に記載の撮像方法。
【請求項１６】
前記撮像装置の前記片側に提供される磁場は、前記撮像装置から離れている前記対象を撮像するように使用される、請求項１０に記載の撮像方法。
【請求項１７】
前記アクセス開口の軸は、前記撮像装置の面に垂直である、請求項１０に記載の撮像方法。
【請求項１８】
磁性材料の前記一つ以上のアレイは、少なくとも一部は硬質磁性材料である、少なくとも一つの磁化可能な部品と、少なくとも一部は軟質磁性材料である、少なくとも一つの磁化可能な部品とを含む、請求項１０に記載の撮像方法。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
熱処理プールヒト血小板溶解物を調製するための方法であって、
a)プールヒト血小板溶解物(pHPL)を用意する工程、
b)プールヒト血小板溶解物を50℃から70℃の温度で20から40分の間熱処理する工程、
c)工程b)の熱処理プールヒト血小板溶解物を精製する工程
を含む方法。
【請求項２】
工程c)の精製が、遠心分離又はろ過によって実行される、請求項1に記載の方法。
【請求項３】
工程b)の後に、ウイルス不活性化又はウイルス除去の工程を更に含む、請求項1又は2に記載の方法。
【請求項４】
ウイルス不活性化又はウイルス除去の工程が、溶媒界面活性剤での処理(S/D処理)、界面活性剤処理のみ、低温殺菌、水蒸気処理又は蒸気処理、低pH処理、カプリル酸処理、及びナノろ過によって実施される、請求項3に記載の方法。
【請求項５】
熱処理の工程b)の前に、凝固カスケードの活性化を誘導する処理の工程を更に含む、請求項1から4のいずれか一項に記載の方法。
【請求項６】
プールヒト血小板溶解物が、異なるドナーから採取した少なくとも2つの異なる血小板溶解物から得られる、請求項1から5のいずれか一項に記載の方法。
【請求項７】
プールヒト血小板溶解物が、異なるドナーから採取した、少なくとも5、少なくとも10、少なくとも20、少なくとも30、少なくとも40、少なくとも50、少なくとも100、少なくとも140、少なくとも180、少なくとも200、又は少なくとも240の異なる血小板溶解物から得られる、請求項6に記載の方法。
【請求項８】
工程a)で用意されるプールヒト血小板溶解物(pHPL)が、以下:
iv)濃厚血小板を用意する工程、
v)工程i)の各濃厚血小板を別個に溶解する工程、及び
vi)工程ii)の結果として生じた溶解物を混合してプールヒト血小板溶解物を得る工程
を含む方法によって調製される、請求項1から7のいずれか一項に記載の方法。
【請求項９】
工程i)で用意される濃厚血小板が、白血球除去処理及び/又はウイルス/病原体不活性化処理に供される、請求項2に記載の方法。
【請求項１０】
非熱処理pHPLのフィブリノーゲン含有量の5質量%未満、好ましくは3質量%未満、より好ましくは1質量%未満のフィブリノーゲン含有量を有し、50ng/mL未満、好ましくは30ng/mL未満、より好ましくは15ng/mL未満のフィブリノーゲン含有量を有する、熱処理プールヒト血小板溶解物。
【請求項１１】
薬物としての使用のための、請求項10に記載の、又は請求項1から9のいずれか一項に記載の方法に従って調製される、熱処理プールヒト血小板溶解物を含む組成物。
【請求項１２】
神経障害の処置における使用のための、請求項11に記載の組成物。
【請求項１３】
神経障害が、神経変性障害、神経炎症性障害、神経発達障害、神経血管障害、及び脳傷害から選択される、請求項12に記載の組成物。
【請求項１４】
神経障害が、多発性硬化症(MS)、パーキンソン病(PD)、ハンチントン病(HD)、筋萎縮性側索硬化症(ALS)、脳卒中、加齢黄斑変性症(AMD)、アルツハイマー病(AD)、脳血管性認知症、前頭側頭型認知症、意味性認知症、及びレビー小体型認知症から選択される神経変性障害である、請求項13に記載の組成物。
【請求項１５】
神経変性障害が、パーキンソン病、筋萎縮性側索硬化症、加齢黄斑変性症、及びアルツハイマー病から選択される、請求項14に記載の組成物。
【請求項１６】
神経障害が、低酸素症又は外傷性脳損傷から選択される脳傷害である、請求項13に記載の組成物。
【請求項１７】
pHPLが、髄腔内、眼内、鼻腔内、又は脳室内経路によって投与される、請求項11から16のいずれか一項に記載の組成物。
【請求項１８】
pHPLが、脳室内経路によって、より具体的には右側脳室へ、好ましくは室間孔に近接して、より好ましくは第3脳室へ投与される、請求項17に記載の組成物。
【請求項１９】
前記pHPLが、プログラム可能な薬剤ポンプによって投与されるように適合されている、請求項18に記載の組成物。
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
歯科用コンポジットクラウンを製造するための硬化性組成物であって、
樹脂マトリックスであって、
ウレタン部分を含まない重合性（メタ）アクリレート、及び、
重合性ウレタン（メタ）アクリレート
を含み、前記ウレタン部分を含まない重合性（メタ）アクリレートが、前記重合性ウレタン（メタ）アクリレートに対して過剰に使用されている、樹脂マトリックスと、
充填剤マトリックスであって、
ナノクラスター及び
任意選択的に８重量％未満の量のヒュームドシリカ
を含み、５〜４５重量％の量で存在する充填剤マトリックスと、
開始剤系であって、
光開始剤、
有機染料、
を含む開始剤系と、
５重量％以下の量の軟化剤と
を含み、
前記硬化性組成物は、２３℃及び１ｓ−１の剪断速度において１５０Ｐａ＊ｓ未満の粘度により特徴付けられ、
ここでの重量％は前記硬化性組成物の重量に対する重量％である、
硬化性組成物。
【請求項２】
前記樹脂マトリックスが、４０〜８５重量％の量で存在し、
前記開始剤系が、０．０１〜５重量％の量で存在し、
ここでの重量％は前記硬化性組成物の重量に対する重量％である、
請求項１に記載の硬化性組成物。
【請求項３】
以下の特徴：
３５０〜６００ｎｍの範囲の波長を有する放射線によって硬化可能であること；
粘度：剪断速度１ｓ−１で２３℃において１〜１００Ｐａ＊ｓ；及び
ｐＨ値：６〜８；
のうちの１つ以上により特徴づけられる、請求項１又は２に記載の硬化性組成物。
【請求項４】
以下の特徴：
ＢＥＴ表面：１００〜３００ｍ２／ｇ；及び
アルキルシランで表面処理されていること、
のうちの１つ以上により特徴づけられるヒュームドシリカを含む、請求項１〜３のいずれか一項に記載の硬化性組成物。
【請求項５】
４０〜８５重量％の量で存在する、ウレタン部分を含まない重合性（メタ）アクリレートと、
１〜３５重量％の量で存在する重合性ウレタン（メタ）アクリレートと、
５〜４０重量％の量で存在するナノクラスターと、
０．５〜５重量％の量で存在するヒュームドシリカと、
０．０１〜３重量％の量で存在する光開始剤と、
０．００１〜０．５重量％の量で存在する有機染料と
を含む、請求項１〜４のいずれか一項に記載の硬化性組成物。
【請求項６】
以下の成分：
０．１〜５重量％の量で存在する、Ｘ線で観察可能な粒子、
０．００１〜０．５重量％の量で存在する安定剤；
０．００１〜０．５重量％の量で存在する顔料；
のうちの１つ以上を含み、
ここでの重量％は前記硬化性組成物の重量に対する重量％である、
請求項１〜５のいずれか一項に記載の硬化性組成物。
【請求項７】
以下の成分：
レドックス開始剤系；
２重量％を超える量の、（メタ）アクリレートシランで表面処理されたヒュームドシリカ；及び
５重量％を超える量の、ガラス又はガラスセラミック粒子；
のうちの少なくとも１つを含まず、
ここでの重量％は前記硬化性組成物の重量に対する重量％である、
請求項１〜６のいずれか一項に記載の硬化性組成物。
【請求項８】
以下：
ウレタン部分を含まない重合性（メタ）アクリレートが、
少なくとも２つの（メタ）アクリレート部分を含み、
１７０〜３，０００ｇ／ｍｏｌの分子量を有し、
４０〜８５重量％で存在することと、
前記重合性ウレタン（メタ）アクリレートが、
少なくとも３つのウレタン部分を含み、
４５０〜３，０００ｇ／ｍｏｌの分子量を有し、
１〜３５重量％の量で存在することと、
ナノクラスターが、
Ｓｉ又はＺｒ系粒子を含み、
５〜４０重量％の量で存在することと、
任意選択的に、ヒュームドシリカが、０．５〜７重量％の量で存在することと、
Ｘ線で観察可能な粒子が、０〜１５重量％の量で存在することと、
光開始剤が、
ホスフィンオキシド部分を含み、
０．０１〜３重量％の量で存在することと、
安定剤が、０．００１〜０．５重量％の量で存在することと、
有機染料が、０．００１〜５重量％の量であることと、
軟化剤が、５重量％以下の量であることと、
を特徴とし、
ここでの重量％は前記硬化性組成物の重量に対する重量％である、
請求項１〜７のいずれか一項に記載の硬化性組成物。
【請求項９】
請求項１〜８のいずれか一項に記載の硬化性組成物を放射線硬化することによって得られる、硬化物品。
【請求項１０】
以下の特徴：
曲げ強度：ＩＳＯ  ４０４９：２００９に従った試験で測定して５０〜２００ＭＰａ；
弾性率：ＤＩＮ  ＥＮ  ８４３−２：２００７に従った試験で測定して１，０００〜４，０００ＭＰａ；
衝撃強度：ＤＩＮ  ５３４５３：１７５−０５に従った試験で測定して５〜１５ｋＪ／ｍ２；
摩耗：２０ｍｍ３未満；
オートクレーブ処理可能であること；及び
歯の色をしていること、
のうちの１つ以上により特徴づけられる、請求項９に記載の硬化物品。
【請求項１１】
歯科用クラウン、ブリッジ、インレー、アンレー、ベニヤ、テーブルトップ、又はそれらの一部の形状を有する、請求項９又は１０に記載の硬化物品。
【請求項１２】
請求項９〜１１のいずれか一項に記載の硬化物品を少なくとも２つ含む部材のキットであって、前記硬化物品が、歯科用クラウンの形状を有し、以下の特徴：サイズ、色、及び形状、のうちの１つ以上において互いに異なる、部材のキット。
【請求項１３】
歯科用クラウンの形状を有する、請求項９に記載の少なくとも１つの硬化物品と、
以下の項目：
自己接着性歯科用セメント、及び
使用説明書
のうちの１つ以上と、
を含む、部材のキット。
【請求項１４】
請求項９〜１１のいずれか一項に記載の硬化物品の製造方法であって、
請求項１〜８のいずれか一項に記載の硬化性組成物を準備することと、
積層造形技術を適用することによって、前記硬化性組成物を加工することと
を含む、製造方法。
【請求項１５】
前記硬化性組成物の前記加工が、以下：
バットを有する３ｄプリンターを用いて硬化物品前駆体を製造することと、
前記３ｄプリンターの前記バットから前記硬化物品前駆体を取り外すことと、
前記硬化物品前駆体を洗浄することと、
前記硬化物品前駆体を後硬化させて、硬化物品を得ることと、
任意選択的に前記硬化物品の表面の少なくとも一部を研磨することと、
を含む、請求項１４に記載の製造方法。
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
患者における急性又は慢性疼痛を治療するための、ブロムヘキシン又はその塩を含む、医薬組成物。
【請求項２】
前記疼痛が、侵害受容性疼痛、神経因性疼痛及び／又は機能障害性疼痛である、請求項１記載の医薬組成物。
【請求項３】
前記疼痛が、慢性侵害受容性疼痛、慢性神経因性疼痛及び／又は慢性機能障害性疼痛である、請求項１又は２記載の医薬組成物。
【請求項４】
前記疼痛が：
（ａ）中枢神経因性疼痛；
（ｂ）末梢神経因性疼痛；
（ｃ）侵害受容性疼痛；
（ｄ）混合型疼痛症候群；
（ｅ）機能障害性疼痛；又は
（ｆ）神経因性、侵害受容性又は混合型の頭痛：である、請求項１〜３のいずれか一項記載の医薬組成物。
【請求項５】
前記疼痛が、慢性中枢神経因性疼痛；慢性末梢神経因性疼痛；又は、慢性侵害受容性疼痛である、請求項４記載の医薬組成物。
【請求項６】
（ａ）前記中枢神経因性疼痛が、多発性硬化症疼痛、脊髄損傷痛（ＳＣＩ；対麻痺）、パーキンソン病関連疼痛、有痛性てんかん発作、脳卒中後疼痛、求心路遮断性疼痛、三叉神経痛、舌咽頭神経痛、視床痛、ボレリオ症疼痛、幻肢痛、及び有痛性脚不穏症候群からなる群から選択されるか；
（ｂ）前記末梢神経因性疼痛が、上腕痛感覚異常、手根管症候群、肢端紅痛症、顔面神経痛、ヘルペス後神経痛、術後神経痛、外傷後神経痛、坐骨神経痛、カウザルギー、単神経炎、神経絞扼症候群、神経損傷、神経炎痛、後頭神経痛、三叉神経ニューロパシー、異痛症及び痛覚過敏、尺骨神経溝症候群、足根管症候群、神経根障害、ファブリー病関連疼痛、多発性ニューロパシー、外傷後ニューロパシー、切断術後疼痛、断端痛及び錯感覚性背痛からなる群から選択されるか；
（ｃ）前記侵害受容性疼痛が、内臓痛；虚血性疼痛；レイノー症候群関連疼痛；骨関節炎痛又は関節炎痛などの変性性関節痛；リウマチ痛；上顆炎、アキレス腱炎、筋膜炎疼痛、足底筋膜炎痛などの、腱炎関連疼痛；有痛性肩拘縮症；関節炎；変形性脊柱痛；変形性頚痛；炎症性疼痛；筋膜性疼痛症候群；筋肉硬結痛及び筋肉痛からなる群から選択されるか；
（ｄ）前記混合型疼痛症候群が、頸部症候群、癌性疼痛、腰痛、腹痛、複合性局所疼痛症候群（ＣＲＰＳ）、切断術後疼痛、肛門痛、椎間板ヘルニア及び変性、変形性脊椎痛、脊椎手術後疼痛症候群（ＦＢＳ）並びに急性及び慢性術後疼痛（ＣＰＳＰ）からなる群から選択されるか；又は
（ｅ）前記機能障害性疼痛が、軟組織リウマチ、線維筋痛、慢性骨盤痛症候群（ＣＰＰＳ）、慢性膀胱炎痛、慢性前立腺炎痛、尾骨痛、過敏性腸症候群、消化管の慢性疼痛、口腔顔面痛、肛門周囲痛、外陰部痛、デルカム病関連疼痛、広範囲疼痛及び頭蓋下顎障害からなる群から選択されるか；又は
（ｆ）前記頭痛が、群発性頭痛、偏頭痛、緊張型頭痛、片頭痛、三叉神経・自律神経性頭痛、ＳＵＮＣＴ症候群、貨幣状頭痛、後頭神経痛及び三叉神経痛及びニューロパシーからなる群から選択される、請求項４又は５記載の医薬組成物。
【請求項７】
前記医薬組成物が、局所的又は全身に投与される、請求項１〜６のいずれか一項記載の医薬組成物。
【請求項８】
前記医薬組成物が、局所的に投与される、請求項１〜７のいずれか一項記載の医薬組成物。
【請求項９】
前記医薬組成物が局所的に投与され、且つ疼痛が、末梢神経因性疼痛であるか、又は変性性関節痛又は腱炎関連疼痛である、請求項８記載の医薬組成物。
【請求項１０】
前記ブロムヘキシンが、ブロムヘキシン塩酸塩の形状である、請求項１〜９のいずれか一項記載の医薬組成物。
【請求項１１】
前記患者が、哺乳動物である、請求項１〜１０のいずれか一項記載の医薬組成物。
【請求項１２】
ブロムヘキシン又はその塩及び医薬として許容される賦形剤を含有する、局所用医薬組成物。
【請求項１３】
（ａ）前記ブロムヘキシンが、ブロムヘキシン塩酸塩の形状であり；及び／又は
（ｂ）前記組成物が、クリーム、ローション、医療用ヘアローション、乳液、スプレー、溶液、軟膏、ゲル剤、又は皮膚用貼付剤の形状である：請求項１２記載の局所用医薬組成物。
【請求項１４】
患者における急性又は慢性疼痛を治療するための、請求項１２又は１３記載の局所用医薬組成物。
【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
対象における神経変性障害の治療または予防に使用するための組成物であって、共生細菌の株を含み、前記株が吉草酸を産生する、前記組成物。
【請求項２】
対象における脳損傷の治療に使用するための組成物であって、共生細菌の株を含み、前記株が吉草酸を産生する、前記組成物。
【請求項３】
株が、短鎖脂肪酸も産生する、請求項１若しくは２に記載の組成物。
【請求項４】
短鎖脂肪酸が、酪酸である、請求項３に記載の組成物。
【請求項５】
株が、コハク酸も産生する、請求項１〜４のいずれかに記載の組成物。
【請求項６】
株が、Ｍｅｇａｓｐｈａｅｒａ属のものであるか、またはＭｅｇａｓｐｈａｅｒａ  ｍａｓｓｉｌｉｅｎｓｉｓ種のものである、請求項１〜５のいずれかに記載の組成物。
【請求項７】
共生細菌の株が、配列番号２と少なくとも９５％、９６％、９７％、９８％、９９％、９９．５％、または９９．９％同一である１６ｓ  ｒＲＮＡ配列を有する、請求項１〜６のいずれかに記載の組成物。
【請求項８】
共生細菌の株が、胃腸管に投与された場合に、ＩＬ−８の活性化を増強することができる、請求項１〜７のいずれかに記載の組成物。
【請求項９】
共生細菌の株が、受託番号ＮＣＩＭＢ  ４２７８７としてＮＣＩＭＢに寄託された株である、請求項１〜８のいずれかに記載の組成物。
【請求項１０】
共生細菌の株の２以上の株を含む、請求項１〜９のいずれかに記載の組成物。
【請求項１１】
Ｐａｒａｂａｃｔｅｒｏｉｄｅｓ  ｄｉｓｔａｓｏｎｉｓ種の株、及びＭｅｇａｓｐｈａｅｒａ  ｍａｓｓｉｌｉｅｎｓｉｓ種の株を含む、請求項１〜１０のいずれかに記載の組成物。
【請求項１２】
Ｐａｒａｂａｃｔｅｒｏｉｄｅｓ  ｄｉｓｔａｓｏｎｉｓ種の株が、配列番号１７と少なくとも９５％、９６％、９７％、９８％、９９％、９９．５％または９９．９％同一である１６ｓ  ｒＲＮＡ配列を有するか、または、配列番号１７によって表される１６ｓ  ｒＲＮＡ配列を有し、かつ、
Ｍｅｇａｓｐｈａｅｒａ  ｍａｓｓｉｌｉｅｎｓｉｓ種の株が、配列番号２と少なくとも９５％、９６％、９７％、９８％、９９％、９９．５％、または９９．９％同一である１６ｓ  ｒＲＮＡ配列を有するか、または、配列番号２によって表される１６ｓ  ｒＲＮＡ配列を有する、
請求項１１に記載の組成物。
【請求項１３】
受託番号ＮＣＩＭＢ  ４２７８７としてＮＣＩＭＢに寄託された株、及び受託番号ＮＣＩＭＢ  ４２３８２としてＮＣＩＭＢに寄託された株を含む、請求項１２に記載の組成物。
【請求項１４】
神経変性障害が、進行性核上性麻痺、スティール・リチャードソン・オルシェフスキー症候群、正常圧水頭症、脳血管性または動脈硬化性パーキンソニズム及び薬物誘発性パーキンソニズムを含むパーキンソン病；ベンソン症候群を含むアルツハイマー病；多発性硬化症；ハンチントン病；筋萎縮性側索硬化症；ルー・ゲーリック病；運動ニューロン疾患；プリオン病；脊髄小脳変性症；脊髄性筋萎縮症；レビー小体、脳血管性及び前頭側頭型認知症を含む認知症；原発性進行性失語；軽度認知障害；ＨＩＶ関連認知障害、進行性炎症性ニューロパチー、及び大脳皮質基底核変性症からなる群から選択される、請求項１、３〜１３のいずれかに記載の組成物。
【請求項１５】
パーキンソン病の治療または予防に使用するためのものである、請求項１４に記載の組成物。
【請求項１６】
早期発症型の神経変性疾患の治療または予防に使用するためのものである、請求項１〜１５のいずれかに記載の組成物。
【請求項１７】
神経変性障害の発症若しくは進行の予防または遅延に使用するためのものである、請求項１〜１６のいずれかに記載の組成物。
【請求項１８】
神経変性疾患の治療または予防において、炎症の低減に使用するためのものである、請求項１〜１７のいずれかに記載の組成物。
【請求項１９】
ニューロン死の低減またはニューロンの保護に使用するためのものである、請求項１〜１８のいずれかに記載の組成物。
【請求項２０】
神経変性疾患の治療または予防において、ＩＬ−６媒介炎症の低減に使用するためのものである、請求項１〜１９のいずれかに記載の組成物。
【請求項２１】
神経変性障害の治療または予防において、ＩＬ−６レベル及び／またはＮＦκＢレベルの低減に使用するためのものである、請求項１〜２０のいずれかに記載の組成物。
【請求項２２】
神経変性疾患の治療または予防において、対象における神経突起形成の増加に使用するためのものである、請求項１〜２１のいずれかに記載の組成物。
【請求項２３】
ＭＡＰ２活性を誘導することによる神経突起形成の増加に使用するためのものである、請求項１〜２２のいずれかに記載の組成物。
【請求項２４】
対象におけるニューロン死の低減に使用するためのものである、請求項１〜２３のいずれかに記載の組成物。
【請求項２５】
脳損傷が、脳虚血、限局性脳虚血、虚血性脳卒中または出血性脳卒中等の脳卒中である、請求項２〜２４のいずれかに記載の組成物。
【請求項２６】
共生細菌の株が、有機酸を産生するように操作されている、請求項１〜２５のいずれかに記載の組成物。
【請求項２７】
共生細菌の株を含む食品であって、請求項１〜２６のいずれかに記載の使用において使用したときに、前記株が吉草酸を産生する、前記食品。
【請求項２８】
対象における脳損傷を治療するための、又は対象における神経変性障害を治療若しくは予防するための医薬品の製造における、共生細菌の株を含む食品の使用であって、前記株が吉草酸を産生する、前記使用。
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
【化１】
2020523327.tif 000001
【化２】
2020523327.tif 000002
【化３】
2020523327.tif 000003
【化４】
2020523327.tif 000004
からなる群から選択される化合物、またはその医薬的に許容される塩。
【請求項２】
【化５】
2020523327.tif 000005
【化６】
2020523327.tif 000006
【化７】
2020523327.tif 000007
からなる群から選択される化合物、またはその医薬的に許容される塩。
【請求項３】
【化８】
2020523327.tif 000008
からなる群から選択される化合物、またはその医薬的に許容される塩。
【請求項４】
請求項1〜3いずれか一項記載の化合物またはその医薬的に許容される塩、および医薬的に許容される担体、希釈剤または賦形剤を含む、組成物。
【請求項５】
FPR2アゴニストを含む、心臓疾患を治療するための医薬組成物。
【請求項６】
FPR2アゴニストが、請求項1〜3いずれか一項記載の化合物またはその医薬的に許容される塩である、請求項5記載の医薬組成物。
【請求項７】
心臓疾患が、狭心症、不安定狭心症、心筋梗塞、心不全、急性冠動脈疾患、急性心不全、慢性心不全および心臓医原性損傷からなる群から選択される、請求項5または6記載の医薬組成物。
【請求項８】
治療が、心筋梗塞後である、請求項7記載の医薬組成物。
【手続補正書】
【提出日】令和3年6月8日(2021.6.8)
【手続補正１】
【補正対象書類名】特許請求の範囲
【補正対象項目名】全文
【補正方法】変更
【補正の内容】
【特許請求の範囲】
【請求項１】
ヒトへの局所投与に適したゲル製剤であって、
約１％〜約３０％（重量／重量）のＮｕ−３又は薬学的に許容可能なその塩と、
セチルアルコール、ラウリルアルコール、ステアリルアルコール、セトステリルアルコール、ミリスチルアルコール、ドコサノールアルコール、オレイルアルコール、及びその組み合わせからなる群から選択される約１％〜約２０％（重量／重量）の脂肪アルコール増粘剤と、
ポリソルベート２０、ポリソルベート６０、ポリソルベート８０、セテアレス−１２、セテアレス−２０、セテアレス３０、セテス−１０、セテス−２０、ステアレス−１０、ステアレス−２０、ステアレス−４０、ステアレス−１００、及びその組み合わせからなる群から選択される約０．２５％〜約１５％（重量／重量）の非イオン性ポリマー乳化剤と、
水、グリセロール、マンニトール、生理食塩水、リン酸緩衝食塩水、及びその組み合わせからなる群から選択される約１％〜約３５％（重量／重量）の希釈剤と
を含み、かつ
該製剤が約ｐＨ１〜約ｐＨ３のｐＨを有する、
上記ゲル製剤。
【請求項２】
Ｎｕ−３が、製剤中に約１０％〜約２０％（重量／重量）の量で存在する、請求項１に記載の製剤。
【請求項３】
Ｎｕ−３が、製剤中に約５％〜約１５％（重量／重量）の量で存在する、請求項１に記載の製剤。
【請求項４】
Ｎｕ−３が、製剤中に約２０％〜約３０％（重量／重量）の量で存在する、請求項１に記載の製剤。
【請求項５】
脂肪アルコール増粘剤が、製剤中に約１％〜約１０％（重量／重量）の量で存在する、請求項１に記載の製剤。
【請求項６】
非イオン性ポリマー乳化剤が、製剤中に約０．５％〜約５％（重量／重量）の量で存在する、請求項１に記載の製剤。
【請求項７】
希釈剤が水である、請求項１に記載の製剤。
【請求項８】
脂肪アルコール増粘剤がセトステリルアルコールである、請求項１に記載の製剤。
【請求項９】
セトステリルアルコールが、製剤中に約２％〜約１０％（ｗ／ｗ）の量で存在する、請求項８に記載の製剤。
【請求項１０】
非イオン性ポリマー乳化剤がセテアレス２０である、請求項１に記載の製剤。
【請求項１１】
セテアレス−２０が、製剤中に約０．５％（ｗ／ｗ）より多い量で存在する、請求項１０に記載の製剤。
【請求項１２】
セテアレス−２０が、製剤中に約０．５％〜約５％（ｗ／ｗ）の量で存在する、請求項１０に記載の製剤。
【請求項１３】
感染症を処置するための請求項１に記載の製剤。
【請求項１４】
感染症が糖尿病性足潰瘍の感染である、請求項１３に記載の製剤。
【請求項１５】
感染症が熱傷創の感染である、請求項１３に記載の製剤。
【請求項１６】
感染症が併発（ｃｏｍｐｌｉｃａｔｅｄ）静脈下肢潰瘍の感染である、請求項１３に記載の製剤。
【請求項１７】
感染症が外耳炎感染である、請求項１３に記載の製剤。
【請求項１８】
尋常性ざ瘡を処置するための請求項１に記載の製剤。
【請求項１９】
爪真菌症を処置するための請求項１に記載の製剤。
【請求項２０】
結膜炎を処置するための請求項１に記載の製剤。
【請求項２１】
口腔粘膜炎を処置するための請求項１に記載の製剤。
【請求項２２】
少なくとも１つのさらなる活性成分が併用される、請求項１３に記載の製剤。
【請求項２３】
患者がヒトである、請求項１３記載の製剤。
【請求項２４】
ゲル製剤であって、
約１％〜約３０％（重量／重量）のＮｕ−３又は薬学的に許容可能なその塩と、
セチルアルコール、ラウリルアルコール、ステアリルアルコール、セトステリルアルコール、ミリスチルアルコール、ドコサノールアルコール、及びオレイルアルコールからなる群から選択される約１％〜約１０％（重量／重量）の脂肪アルコール増粘剤と、
ポリソルベート２０、ポリソルベート６０、ポリソルベート８０、セテアレス−１２、セテアレス−２０、セテアレス３０、セテス−１０、セテス−２０、ステアレス−１０、ステアレス−２０、ステアレス−４０、及びステアレス−１００からなる群から選択される約０．５％〜約５％（重量／重量）の非イオン性ポリマー乳化剤と、
塩酸、臭化水素酸、ヨウ化水素酸、硝酸、炭酸、硫酸、及びリン酸からなる群から選択される約１％〜約１０％（重量／重量）の酸と、
水、グリセロール、マンニトール、生理食塩水、及びリン酸緩衝食塩水からなる群から選択される約１％〜約４５％（重量／重量）の希釈剤と
を含み、かつ
該製剤が約ｐＨ１〜約ｐＨ３のｐＨを有する、
上記ゲル製剤。
【請求項２５】
Ｎｕ−３が約５％〜約２５％（重量／重量）の量で製剤中に存在する、請求項２４に記載の製剤。
【請求項２６】
脂肪アルコール増粘剤がセトステリルアルコールである、請求項２４に記載の製剤。
【請求項２７】
非イオン性ポリマー乳化剤がセテアレス２０である、請求項２４に記載の製剤。
【請求項２８】
酸が塩酸である、請求項２４に記載の製剤。
【請求項２９】
希釈剤が水である、請求項２４に記載の製剤。
【請求項３０】
局所ゲル製剤であって、
約１％〜約３０％（重量／重量）のＮｕ−３、又は薬学的に許容可能なその塩と、
約１％〜約１０％（重量／重量）のセトステリルアルコールと、
約０．５％〜約５％（重量／重量）のセテアレス−２０と、
約１％〜約１０％（重量／重量）の塩酸と、
約１％〜約４５％（重量／重量）の水と
を含み、かつ
該製剤が約ｐＨ１〜約ｐＨ３のｐＨを有する、
上記局所ゲル製剤。
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
NUC-7738
【化１】
2020523381.tif 000001
を製造する方法であって、該方法は、工程ｄ）、ｅ）及びｆ）：
ｄ）式（II）
【化２】
2020523381.tif 000002
の化合物から保護基Ｐ１を除去して、式（I）
【化３】
2020523381.tif 000003
の2’-保護コルジセピンを提供し（ここで、Ｐ２は保護基であり、及びＰ３及びＰ４は、独立して、H及び保護基の中から選ばれる）；
ｅ）式（I）の化合物を、塩基（B1）の存在下、式（III）
【化４】
2020523381.tif 000004
（式中、LGは脱離基である）の化合物と反応させて、式（IV）
【化５】
2020523381.tif 000005
の化合物を提供し；
ｆ）保護基Ｐ２を除去し、及びＰ３及びＰ４が保護基である場合、Ｐ３及びＰ４を除去して、NUC-7738を提供する
ことを含んでなる方法。
【請求項２】
さらに、工程ｃ）：
ｃ）式（V）
【化６】
2020523381.tif 000006
の化合物の3’-ヒドロキシ基に、保護基Ｐ２を導入して、式（II）の化合物を提供することを含んでなる請求項１に記載の方法。
【請求項３】
さらに、工程ｂ）：
ｂ）式（VI）
【化７】
2020523381.tif 000007
の化合物を、水素化物源と反応させて、式（V）の化合物を提供することを含んでなる請求項２に記載の方法。
【請求項４】
さらに、工程ａ）；
ａ）式（VII）
【化８】
2020523381.tif 000008
の化合物の5’-ヒドロキシ基に、保護基Ｐ１を導入して、式（VI）の化合物を提供することを含んでなる請求項３に記載の方法。
【請求項５】
Ｐ３及びＰ４が、それぞれ、Ｈである請求項１〜４のいずれかに記載の方法。
【請求項６】
Ｐ１が、シリル保護基、例えば、TBDMSである請求項１〜５のいずれかに記載の方法。
【請求項７】
Ｐ２が、シリル保護基、例えば、TBDMSである請求項１〜５のいずれかに記載の方法。
【請求項８】
Ｐ１及びＰ２が、それぞれ、シリル保護基、例えば、TBDMSである請求項１〜５のいずれかに記載の方法。
【請求項９】
工程ｄ）を、TFAを使用して行う請求項８に記載の方法。
【請求項１０】
工程ｄ）を、アセトニトリル及び水の混合物中で行う請求項９に記載の方法。
【請求項１１】
工程ｄ）を、０〜２０℃の温度で行う請求項９又は１０に記載の方法。
【請求項１２】
NUC-7738が、ジアステレオマーの混合物として形成される請求項１〜１１のいずれかに記載の方法。
【請求項１３】
式（III）の化合物が、
【化９】
2020523381.tif 000009
である請求項１２に記載の方法。
【請求項１４】
式（III）の化合物が、式（VIII）
【化１０】
2020523381.tif 000010
（式中、Ｒ１は、ハロ、トリフルオロメチル、シアノ、及びニトロからなる群から選ばれるものであり；及びａは１〜５の整数である）の化合物である請求項１〜１１のいずれかに記載の方法。
【請求項１５】
方法が、ジアステレオマー的に濃縮された形のNUC-7738の（Rp）-ジアステレオマーの製法であり、式（VIII）の化合物が、ジアステレオマー的に濃縮された形の（Rp）-ジアステレオマーである請求項１４に記載の方法。
【請求項１６】
方法が、ジアステレオマー的に濃縮された形のNUC-7738の（Sp）-ジアステレオマーの製法であり、式（VIII）の化合物が、ジアステレオマー的に濃縮された形の（Sp）-ジアステレオマーである請求項１４に記載の方法。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
ＣＤ２５−ＡＤＣを含む、対象の増殖性疾患の治療のための医薬組成物であって、前記ＣＤ２５−ＡＤＣは、前記対象に２回目の治療サイクルの後に、前記用量を低減する投与レジメで投与され、かつ、以下の：
【化１】
2020523384.tif 000001
（式中、Ａｂは、配列番号３のアミノ酸配列を有するＶＨ  ＣＤＲ１、配列番号４のアミノ酸配列を有するＶＨ  ＣＤＲ２、及び配列番号５のアミノ酸配列を有するＶＨ  ＣＤＲ３を含むＶＨドメイン；及び、
配列番号６のアミノ酸配列を有するＶＬ  ＣＤＲ１、配列番号７のアミノ酸配列を有するＶＬ  ＣＤＲ２、及び配列番号８のアミノ酸配列を有するＶＬ  ＣＤＲ３を含むＶＬドメイン
を含む、ＣＤ２５抗体であり、かつ、
ＤＡＲは、１〜８である）
化学構造を有する、医薬組成物。
【請求項２】
前記Ａｂは、配列番号１の配列を有するＶＨドメイン、及び配列番号２の配列を有するＶＬドメインを含む、請求項１に記載の医薬組成物。
【請求項３】
前記投与レジメ中、前記ＣＤ２５−ＡＤＣの開始用量が１回以下低減される、請求項１又は２に記載の医薬組成物。
【請求項４】
前記開始用量は、４５μｇ／ｋｇである、請求項１〜３のいずれか一項に記載の医薬組成物。
【請求項５】
前記開始用量は、５５〜６５μｇ／ｋｇ又は７５〜８５μｇ／ｋｇである、請求項１〜４のいずれか一項に記載の医薬組成物。
【請求項６】
前記低減用量は、約３０μｇ／ｋｇである、請求項１〜５のいずれか一項に記載の医薬組成物。
【請求項７】
前記低減用量は、３５〜４５μｇ／ｋｇ、又は４５〜５５μｇ／ｋｇである、請求項１〜５のいずれか一項に記載の医薬組成物。
【請求項８】
前記治療サイクルは、各々、同期間である、請求項１〜７のいずれか一項に記載の医薬組成物。
【請求項９】
前記各治療サイクルは、３週間である、請求項８に記載の医薬組成物。
【請求項１０】
約４０〜５０μｇ／ｋｇのＣＤ２５−ＡＤＣを３回の３週間の治療サイクルで投与してから、
そのサイクル３の投与から３週間後に、それ以降の２５〜３５μｇ／ｋｇの３週間のサイクルを開始する、請求項９に記載の医薬組成物。
【請求項１１】
約４５μｇ／ｋｇのＣＤ２５−ＡＤＣを３回の３週間の治療サイクルで投与してから、
そのサイクル３の投与から３週間後に、それ以降の３０μｇ／ｋｇの３週間のサイクルを開始する、請求項１０に記載の医薬組成物。
【請求項１２】
前記増殖性疾患は、ホジキンリンパ腫である、請求項１〜１１のいずれか一項に記載の医薬組成物。
【請求項１３】
前記リンパ腫は、以下の：
（ａ）びまん性大細胞型Ｂ細胞性リンパ腫（ＤＬＢＣＬ）、濾胞性リンパ腫（ＦＬ）、マントル細胞リンパ腫（ＭＣＬ）、慢性リンパ性リンパ腫（ＣＬＬ）、辺縁帯Ｂ細胞リンパ腫（ＭＺＢＬ）のようなＢ細胞系リンパ腫；又は
（ｂ）節外性Ｔ細胞リンパ腫、皮膚性Ｔ細胞リンパ腫（セザリー症候群及び菌状息肉腫）、未分化大細胞型リンパ腫、急性Ｔ細胞リンパ芽球性リンパ腫（ＡＴＬＬ）及び血管免疫芽球性Ｔ細胞リンパ腫を含む、Ｔ細胞リンパ芽球性リンパ腫のようなＴ細胞系リンパ腫；
から選択される非ホジキンリンパ腫である、請求項１〜１１のいずれか一項に記載の医薬組成物。
【請求項１４】
前記増殖性疾患は、耐性、再発性又は難治性である、請求項１〜１３のいずれか一項に記載の医薬組成物。
【請求項１５】
前記対象は、ヒトである、請求項１〜１４のいずれか一項に記載の医薬組成物。
【請求項１６】
前記治療は、さらに、前記ＣＤ２５−ＡＤＣと併用してチェックポイント阻害剤の投与を含む、請求項１〜１５のいずれか一項に記載の医薬組成物。
【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
式I：
【化１】
2020523331.tif 000001
[式中、
Ar1は、フェニル、ピリジニル、ピリダジニル、ピリミジニル、ピラジニルまたはベンゾジオキシルであって、かつシアノ、ハロ、アルキル、フルオロアルキル、アルコキシ、フルオロアルコキシ、アルキルチオおよびアルキルスルホニルから選択された1〜3つの置換基で置換されており；
Ar2は、フェニル、ピリジニル、ピリダジニル、ピリミジニルまたはピラジニルであって、かつシアノ、ハロ、アルキル、フルオロアルキル、アルコキシおよびフルオロアルコキシから選択された0〜3つの置換基で置換されており；
Ar3は、窒素、酸素および硫黄から独立して選択された1〜5個のヘテロ原子を有する5または6員単環式ヘテロ芳香環系であり；
R1は、シクロプロピル、シクロブチル、シクロペンチル、シクロヘキシル、テトラヒドロフラニルまたはテトラヒドロピラニルであって、かつシアノ、アルキル、ハロアルキル、ヒドロキシアルキル、アルコキシアルキル、((R2)(R3)N)アルキル、ヒドロキシ、アルコキシ、(R2)(R3)N、(R2)(R3)NCOおよびAr3から選択された0〜2つの置換基で置換されており；
R2は、水素、アルキル、アルキルカルボニルまたはアルキルスルホニルであり；
R3は、水素またはアルキルであるか；または、
NR2R3は、一緒になって形成し、アゼチジニル、ピロリジニル、ピペリジニル、ピペラジニルおよびモルホリニルから選択され、かつハロ、アルキル、フルオロアルキル、アルコキシおよびフルオロアルコキシから選択された0〜3つの置換基で置換されており；および
Xは、水素、フルオロ、ヒドロキシまたはアルコキシである]
の化合物、またはその医薬的に許容される塩。
【請求項２】
Ar1が、フェニル、ピラジニルまたはピリジニルであって、かつシアノ、ハロ、アルキル、フルオロアルキル、ハロアルキル、アルコキシ、フルオロアルコキシ、アルキルチオおよびアルキルスルホニルから選択された1〜3つの置換基で置換されており；
Ar2が、シアノ、ハロ、アルキル、フルオロアルキル、アルコキシおよびハロアルコキシから選択された0〜3個の置換基で置換されたフェニルで置換されており；
R1が、シクロプロピル、シクロブチル、シクロペンチル、シクロヘキシル、テトラヒドロフラニルまたはテトラヒドロピラニルであって、かつシアノ、アルキル、フルオロアルキル、ヒドロキシアルキル、アルコキシアルキル、((R2)(R3)N)アルキル、ヒドロキシ、アルコキシ、(R2)(R3)N、(R2)(R3)NCOおよびAr3から選択された0〜2つの置換基で置換されており；
R2が、水素、アルキル、アルキルカルボニルまたはアルキルスルホニルであり；
R3が、水素またはアルキルであるか；または
NR2R3が、一緒になって形成し、アゼチジニル、ピロリジニル、ピペリジニル、ピペラジニルおよびモルホリニルから選択され、かつフルオロ、アルキル、フルオロアルキル、アルコキシおよびハロアルコキシから選択された0〜3つの置換基で置換されており；および
Xが、水素、フルオロ、ヒドロキシまたはアルコキシである、
請求項1記載の化合物、またはその医薬的に許容される塩。
【請求項３】
Ar1が、フェニル、ピラジニルまたはピリジニルであって、かつシアノ、ハロ、アルキル、フルオロアルキル、アルコキシ、フルオロアルコキシ、アルキルチオおよびアルキルスルホニルから選択された1〜3つの置換基で置換されている、請求項1記載の化合物、またはその医薬的に許容される塩。
【請求項４】
Ar2が、シアノ、ハロ、アルキル、ハロアルキル、アルコキシおよびフルオロアルコキシから選択された0〜3個の置換基で置換されたフェニルである、請求項1記載の化合物、またはその医薬的に許容される塩。
【請求項５】
R1が、シクロプロピル、シクロブチル、シクロペンチル、シクロヘキシル、テトラヒドロフラニルまたはテトラヒドロピラニルであって、かつシアノ、((R2)(R3)N)アルキルおよびヒドロキシから選択された0〜2つの置換基で置換されている、請求項1記載の化合物、またはその医薬的に許容される塩。
【請求項６】
請求項1〜5のいずれか一項に記載の化合物またはその医薬的に許容される塩、ならびに医薬的に許容される担体、希釈剤または賦形剤を含む、組成物。
【請求項７】
請求項1〜5のいずれか一項に記載の化合物またはその医薬的に許容される塩を含む、心臓疾患を治療するための医薬組成物。
【請求項８】
心臓疾患が、狭心症、不安定狭心症、心筋梗塞、心不全、急性冠動脈疾患、急性心不全、慢性心不全および心臓の医原性損傷からなる群から選択される、請求項7記載の医薬組成物。
【請求項９】
治療が、心筋梗塞後である、請求項7記載の医薬組成物。